(57)【要約】【課題】  開閉操作がし易く、且つ、網戸の開閉に伴って網戸から剥がれ落ちたり、網戸サッシ枠部から網体部が外れたりし難いようにする。【解決手段】  網戸サッシ枠部２と網体部３とを備えた網戸１に対して取り付けて網戸開閉操作を行う開閉操作具において、操作具本体７を網体部３へ取付自在な取付部Ｔが設けられ、操作具本体７に作用する網戸開閉操作力に対する反力を網戸サッシ枠部２に確保自在な反力確保部Ｈが設けられている。【選択図】        図４
2005240420.tif 000002
【特許請求の範囲】
【請求項１】
網戸サッシ枠部と網体部とを備えた網戸に対して取り付けて網戸開閉操作を行う開閉操作具であって、
操作具本体を前記網体部へ取付自在な取付部が設けられ、前記操作具本体に作用する網戸開閉操作力に対する反力を前記網戸サッシ枠部に確保自在な反力確保部が設けられている開閉操作具。
【請求項２】
前記網戸は引き戸であり、前記操作具本体は、前記網体部を表裏から挟持自在な一対の挟持部材で構成され、前記反力確保部は、前記一対の挟持部材の少なくとも一方に形成されると共に、網戸サッシ枠部に備えた網体取付用凹溝部に係止して前記開閉操作力に対する反力を確保する係止部で構成されている請求項１に記載の開閉操作具。
【請求項３】
前記挟持部材どうしの前記網体部面に沿った方向の相対位置を変更自在な位置調整機構が備えられている請求項２に記載の開閉操作具。
【請求項４】
前記一対の挟持部材の内、網戸の室外側に配置させる外挟持部材は、網体部に当接させる第一分割部と、前記網戸サッシ枠部に固定する第二分割部と、前記第一分割部と第二分割部とを覆い、且つ、両部を連結分離自在に繋ぐ第三分割部とを備えて構成されている請求項２又は３に記載の開閉操作具。
【請求項５】
前記第一分割部と第三分割部との網戸厚み方向の相対位置を変更自在な厚み調整手段を設けてある請求項４に記載の開閉操作具。
【請求項６】
前記第二分割部と第三分割部との網戸幅方向の相対位置を変更自在な幅調整機構を設けてある請求項４又は５に記載の開閉操作具。
【発明の詳細な説明】
【技術分野】
【０００１】
本発明は、網戸サッシ枠部と網体部とを備えた網戸に対して取り付けて網戸開閉操作を行う開閉操作具に関する。
【背景技術】
【０００２】
当該開閉操作具の取付対象である網戸は、一般的には引き戸やドア等の扉の設置箇所に沿う状態に設けられ、スペース上の余裕を確保し難い場所である関係上、扉に比べて非常に薄く形成してある。
そして、そのような網戸の開閉操作は、網戸サッシ枠部の一部に設けられた操作用凹凸部に指を引っ掛けて行うといったことが行われている。しかし、操作用凹凸部は、あくまでも網戸サッシ枠部の一部に設けられることから、指を引っ掛けて開閉操作するのに相応しい大きさや形状に形成することが困難で、実際には指よりむしろ爪を引っ掛けないと開閉操作が困難な場合もあり、開閉操作がし難いというのが現状であった。そして、開閉操作部分を、網戸サッシ枠部に形成した操作用凹凸部とは別に設けることで、少しでも開閉操作をし易くするものとして、網戸に取り付ける開閉操作具が考えられている。
従来、この種の開閉操作具としては、図１４に示すように、扁平な板状の操作具本体３０を設け、その操作具本体３０の表面に開閉操作用の窪み８を形成すると共に、裏面に両面テープ３１が貼着してあるものがあり（例えば、特許文献１参照）、前記両面テープ３１で網戸１に操作具本体３０を貼り付けて使用するものである。
【０００３】
【特許文献１】実開平５−１７０４５号公報（図１〜５）
【発明の開示】
【発明が解決しようとする課題】
【０００４】
上述した従来の開閉操作具によれば、網戸の網体部を対象として取り付ける場合、接着対象は、網体部を構成する線状の繊維部材となるから接着面積を確保し難いことと、網体部の表面は直行する繊維部材を交互に絡ませて形成されているから厳密には凹凸形状であることとから、接着力が小さくなり易く、開閉操作の為の力を作用させると、剥がれ落ちやすい問題点がある。これを改善するために強力な接着剤を使用して網体部に接着すれば、剥がれ防止を図ることはできるものの、開閉操作凹部に作用させる網戸開閉力は、網体部から網戸サッシ枠部に直接加わることとなり、網戸サッシ枠部と網体部との取付部分に集中的に作用して網体部が網戸サッシ枠部から外れると言った新たな問題が生じる。
一方、操作具本体を、網戸の網戸サッシ枠部に接着して使用する場合、網戸サッシ枠部がもともと寸法的に余裕がないことから、操作具本体そのものも網戸サッシ枠部に合わせた小さいサイズのものにする必要があり、操作性に問題を残す結果となる。
【０００５】
従って、本発明の目的は、上記問題点を解消し、開閉操作がし易く、且つ、網戸の開閉に伴って網戸から剥がれ落ちたり、網戸サッシ枠部から網体部が外れたりし難い開閉操作具を提供するところにある。
【課題を解決するための手段】
【０００６】
本発明の第１の特徴構成は、網戸サッシ枠部と網体部とを備えた網戸に対して取り付けて網戸開閉操作を行う開閉操作具において、操作具本体を前記網体部へ取付自在な取付部が設けられ、前記操作具本体に作用する網戸開閉操作力に対する反力を前記網戸サッシ枠部に確保自在な反力確保部が設けられているところにある。
【０００７】
本発明の第１の特徴構成によれば、前記取付部によって操作具本体を網戸の網体部へ取り付けることができる事に加えて、その操作具本体に網戸開閉操作力を作用させた際の反力を、前記反力確保部によって前記網戸サッシ枠部に確保することができる。即ち、例えば、指等を掛けて開閉操作をするための操作部を、網体部に位置させることができるから、その大きさや形状は、網戸サッシ枠部の幅寸法等に影響を受けずに、指を引っ掛けて開閉操作するのに相応しいように設定して形成することが可能となり、開閉操作性の向上を図ることが可能となる。
また、操作部を網体部に位置させることによって、網戸サッシ枠部と網体部との厚み寸法の差（網戸サッシ枠部＞網体部）を操作部の厚みに有効に取り入れることができるから、比較例として操作部を網戸サッシ枠部上に新たに形成するのに比べて、網戸全体の厚み寸法は同じでも操作部の深さ寸法を大きくして、指が掛かり易い、操作性の高い開閉操作具とすることが可能となる。
更には、上述のように、前記反力確保部によって、網戸開閉操作力の反力を前記網戸サッシ枠部に確保することができるから、より安定した状態で網戸の開閉操作を行うことが可能となる。比較例として、前述のように、網戸開閉操作力の反力をすべて網体部に負担させるようなものの場合、網戸開閉操作に伴って網体部そのものに大きな力が作用することで網の撓みや伸び、及び、網端縁の被固定部の外れ等が発生し易く、開閉操作性が悪いのに加えて網戸の耐久性をも低下させる危険性があるのに対し、本特徴構成によれば開閉操作反力を網戸サッシ枠部に確保でき、網体部への応力負担を軽減することが可能となり、安心して網戸の開閉操作を行えると共に、網戸の耐久性向上を図ることが可能となる。
以上の作用効果は、取付対象の網戸が、例えば、引き戸形式や、揺動によって開閉する形式等、様々な戸の形式において発揮することができる。
【０００８】
本発明の第２の特徴構成は、前記網戸は引き戸であり、前記操作具本体は、前記網体部を表裏から挟持自在な一対の挟持部材で構成され、前記反力確保部は、前記一対の挟持部材の少なくとも一方に形成されると共に、網戸サッシ枠部に備えた網体取付用凹溝部に係止して前記開閉操作力に対する反力を確保する係止部で構成されているところにある。
【０００９】
本発明の第２の特徴構成による作用効果の説明のまえに、網戸サッシ枠部と網体部との取付部分の一般的な構造を説明すると、図４に示すように、網戸サッシ枠部２の内周部に沿って、網戸表裏面の何れかに開口した網体取付用凹溝部（以後、単に凹溝部と言う）４を形成しておき、その凹溝部４上に網体部３を配置した状態でその上から固定用ゴム紐６を前記凹溝部４へ押し込むことで網体部３も一緒に凹溝部４内に巻き込んで固定されている。凹溝部４内に押し込まれたゴム紐６は、縮径方向に弾性変形しているから、その弾性復元力によって網体部３の被巻き込み部は凹溝部４の周壁に強く押し付けられた状態となっており、それらの摩擦力によって網戸サッシ枠部２への網体部３の固定が叶えられている。
本発明の第２の特徴構成によれば、本発明の第１の特徴構成による上述の作用効果を叶えることができるのに加えて、前記反力確保部が、網戸サッシ枠部に備えた網体取付用凹溝部に係止して前記開閉操作力に対する反力を確保する係止部で構成されていると共に、前記一対の挟持部材の少なくとも一方に形成されているから、前記一対の挟持部材を網戸に取り付けることで係止部を前記凹溝部に係止させることができ、当該開閉操作具の取付作業を極めて簡単に実施することが可能となる。
また、当該開閉操作具を網戸に取り付けた状態においては、前記係止部が前記凹溝部に係止することで開閉操作力の反力を網戸サッシ枠部に確保することができることに加えて、前記凹溝部内に位置する前記ゴム紐の抜け止めを図ることができ、網体部が網戸サッシ枠部から外れるのを防止することが可能となる。係止部が前記凹溝部内に係止しているだけでこの作用は叶えられるが、更には係止部の寸法を、凹溝部への係止状態で前記ゴム紐を更に凹溝部奥へ押し込むような設定とすれば、より外れ難くすることが可能となる。
そして、一般的な網戸サッシ枠部であればどのようなものにも備えている前記凹溝部を、当該反力確保部の係止対象としていることから、どのような網戸サッシ枠部にも当該開閉操作具をそのまま取り付けて使用することが可能となり、汎用性の向上を図ることが可能となる。
また、前記網体部を表裏から挟持自在な一対の挟持部材で前記操作具本体を構成しているから、当該開閉操作具を網戸に取り付けた状態では、前記一対の挟持部材で網体部をしっかり挟み込むことができ、安定した取付状態を維持することができる。一方、網体部に対しては、両挟持部材の挟持面全体を接当させて挟み込むことで、応力分散を図ることができ、仮に、操作具本体へ外力が作用した場合でも、網体部の被挟持面全体でその外力を受けることが可能となり、網体部の局部にその応力が作用するのを緩和することができる。その結果、網体部を傷み難くすることが可能となる。
【００１０】
本発明の第３の特徴構成は、前記挟持部材どうしの前記網体部面に沿った方向の相対位置を変更自在な位置調整機構が備えられているところにある。
【００１１】
本発明の第３の特徴構成によれば、本発明の第１又は２の特徴構成による上述の作用効果を叶えることができるのに加えて、前記位置調整機構によって前記挟持部材どうしの前記網体部面に沿った方向の相対位置を変更することが可能となる。従って、寸法の異なるさまざまな網戸サッシ枠部に対しても、両挟持部材どうしを最も好ましい相対位置に前記位置調整機構を用いて調整した状態に取り付けることが可能となり、より汎用性の高い開閉操作具とすることが可能となる。
但し、両挟持部材どうしの好ましい相対位置とは、例えば、意匠的に好ましい相対位置であったり、両挟持部材間に作用する応力状態が好ましい相対位置等を意味する。
【００１２】
本発明の第４の特徴構成は、前記一対の挟持部材の内、網戸の室外側に配置させる外挟持部材は、網体部に当接させる第一分割部と、前記網戸サッシ枠部に固定する第二分割部と、前記第一分割部と第二分割部とを覆い、且つ、両部を連結分離自在に繋ぐ第三分割部とを備えて構成されているところにある。
【００１３】
本発明の第４の特徴構成によれば、本発明の第１〜３の何れかの特徴構成による上述の作用効果を叶えることができるのに加えて、網戸への当該開閉操作具の取り付けが、両挟持部材によって網体部を挟み込む状態の固定と、前記第二分割部による網戸サッシ枠部への固定との両方で実現されるから、より安定した取付状態にセットすることが可能となる。従って、開閉操作の際のガタツキも生じ難く、操作性の向上を図ることが可能となる。
一方、第三分割部によって、第二分割部と当該開閉操作具のその他の部分とを連結したり分離したりすることが可能となるから、第二分割部を網戸サッシ枠部に固定した状態で、当該開閉操作具のその他の部分を網戸から取り外すことができる。その結果、例えば、当該開閉操作具を取り付けた網戸の網交換を行うような場合に、開閉操作具全部を網戸から取り外さなくても、前記第二分割部のみを残した状態で網交換作業を実施でき、当該開閉操作具を再セットする際に、前記第二分割部に対してその他の各部材を位置合わせして取り付けることによって、網戸の元の位置に簡単にセットすることが可能となる。また、第二分割部は、網戸サッシ枠部に固定したままにできるから、両者の固定手段は、ビス止め等のように着脱自在な手段に限らず、両面テープや接着剤等の一度外すと使用できなくなる手段も採用することができ、固定手段の選択範囲が広がり、コストダウンをも図り易くなる。
また、第三分割部によって第一・第二分割部を覆うことができるから、細かな部分が露出するのを防止でき、外観の意匠性を向上させることができるのに加えて、特に網戸への固定強度の保持を図っている第一・第二分割部に対する紫外線劣化やその他の化学変化による劣化等を第三分割部によって防止でき、当該開閉操作具の耐久性の向上を図ることが可能となる。
【００１４】
本発明の第５の特徴構成は、前記第一分割部と第三分割部との網戸厚み方向の相対位置を変更自在な厚み調整手段を設けてあるところにある。
【００１５】
本発明の第５の特徴構成によれば、本発明の第１〜４の何れかの特徴構成による上述の作用効果を叶えることができるのに加えて、前記厚み調整手段によって前記第一・第三分割部どうしの網戸厚み方向の相対位置を変更することが可能となる。従って、網戸厚み方向における網戸サッシ枠部と網体部との相対位置が異なるさまざまな網戸に対しても、隙間無く挟持部材が沿うように前記厚み調整手段を用いて第一分割部と第三分割部との相対位置を調整することが可能となり、より汎用性の高い開閉操作具とすることが可能となる。
【００１６】
本発明の第６の特徴構成は、前記第二分割部と第三分割部との網戸幅方向の相対位置を変更自在な幅調整機構を設けてあるところにある。
【００１７】
本発明の第６の特徴構成によれば、本発明の第１〜５の何れかの特徴構成による上述の作用効果を叶えることができるのに加えて、前記幅調整機構によって前記第二・第三分割部どうしの網戸幅方向の相対位置を変更することが可能となる。網戸サッシ枠部の形状は、さまざまなものが市場に出回っており、例えば、網戸サッシ枠部の網体部側の縁部に、厚み方向に突出したリブが設けてあるものや、そのようなリブは設けてない一般的なもの等がある。そして、前記幅調整機構を備えてあることによって、前記リブが網戸サッシ枠部に存在している前者の網戸に取り付けるような場合には、第二分割部と第三分割部との間に前記リブを位置させられる隙間ができるように相対位置を変更調整することができる一方、前記後者の一般的な網戸に取り付けるような場合には、第二分割部と第三分割部とを近接するように相対位置を変更調整して、できるだけコンパクト化を図ると言ったそれぞれの対応をとることができる。従って、形状等が異なるさまざまな網戸に対しても、余分な加工をせずに納まりよく取り付けることが可能となり、より汎用性の高い開閉操作具とすることが可能となる。
【発明を実施するための最良の形態】
【００１８】
以下に本発明の実施の形態を図面に基づいて説明する。尚、図面において従来例と同一の符号で表示した部分は、同一又は相当の部分を示している。
【００１９】
図１は、本発明の開閉操作具の一実施形態である操作具Ｓを、引き戸形式の網戸１に取り付けてある状態を示すものである。尚、図には示さないが、前記網戸１は、例えば、集合住宅等の建物に取り付けられている場合は、網戸の室内側面に沿って隙間をあけない状体に引き違い戸が設けられていることが多く（図５参照）、それらの引き違い戸の開閉を阻害しないように、網戸１の室内側の面は、引き違い戸の開閉軌跡上に出ない寸法設定で形成されている。
そして、網戸１は、後付けされた前記操作具Ｓに指を掛けて開閉操作を実施できるように構成されている。
【００２０】
前記網戸１は、網戸サッシ枠部（以後、単にサッシ枠と言う）２と網体部（以後、単に網という）３とを備えて構成されている。
【００２１】
前記サッシ枠２は、一対の縦枠２Ａと、一対の横枠２Ｂとを矩形形状となるように連結して構成してあり、当該実施形態においては、一方の縦枠２Ａのほぼ上下中央位置に前記操作具Ｓを位置させてある。
前記縦枠２Ａ、横枠２Ｂは、金属製の矩形筒で構成してあり、サッシ枠２の内周部の全周にわたって、網体取付用の第一凹溝部（網体取付用凹溝部に相当）４が設けてある（図４参照）と共に、縦枠２Ａに限っては、前記前記第一凹溝部４の背面に、開閉操作用の第二凹溝部５が設けられている。
【００２２】
前記第一凹溝部４は、図２〜５に示すように、室外側面に開口する状態に形成してあり、溝周縁部４ａの先端が、縦枠２Ａの室外側表面より若干室内側に引退した位置となるように形成してある（図４参照）。そして、この第一凹溝部４上に前記網３を配置した状態でその上から固定用ゴム紐６を前記第一凹溝部４へ押し込むことで網３の周縁部も一緒に第一凹溝部４内に巻き込んで固定されている。前記ゴム紐６は、前記第一凹溝部４の溝幅寸法とほぼ同径又は若干大きめの外径寸法に形成してあり、溝内に位置する網３を紐径方向の弾性復元力で凹周縁部４ａの周壁に強く押し付けて、その摩擦力によって網３の抜け止めを図り、サッシ枠２に固定してある。因みに、前記網３は、その外周縁部を全周にわたって、前記溝周縁部４ａの先端部で支えられた状態でサッシ枠２に取り付けられているから、網３の室外側表面は、前記サッシ枠２の室外側表面より若干室内側に引退した状態に位置している。当該実施形態では、この引退寸法をＬ１で表示するが、この引退寸法Ｌ１は、市販の網戸の設計によって設定値が異なり、バラツキがあるのが現状である。
【００２３】
前記第二凹溝部５は、前記第一凹溝部４より広幅に形成してあり、溝周縁部５ａに指や爪を掛けることで網戸１の開閉を行えるようにとサッシ枠２にもともと備えらた操作部である。現実的には、引き違い戸との干渉防止や意匠的な意味でサッシ枠そのものの寸法  （厚み寸法や枠経寸法等）制限があることから、前記第二凹溝部５の溝幅や溝深さは小さくせざるを得ず、それに伴って開閉操作は行い難くなっている。
【００２４】
次に、当該操作具Ｓについて説明する。
操作具Ｓは、合成樹脂製の成型品で、図５〜１０に示すように、網３を表裏から挟持自在な一対の挟持部材７Ａ、７Ｂを備えた操作具本体７によって構成されている。前記一対の挟持部材について、網戸１の室内側面に位置させるものを内挟持部材７Ａと呼び、網戸１の室外側面に位置させるものを外挟持部材７Ｂと呼ぶ。
何れの挟持部材に関しても、外観は概ね矩形板形状に形成してあり、四隅部分は曲線形状に丸められており（図２、図３参照）、意匠性の向上を図っていると共に、開閉操作の際の触感を和らげるように考慮してある。
【００２５】
前記内挟持部材７Ａは、図４〜６に示すように、内挟持部材本体の室内側面中央部に開閉操作用の操作部となる窪み８を形成してある。また、窪み８の上下に隣接する位置には、網３を挟持するために両挟持部材どうしを連結するボルト９を挿通させるボルト挿通孔１０がそれぞれ設けてある。このボルト挿通孔１０は、横方向に細長い長穴として形成してある。従って、挟持部材どうしを、前記網面に沿って横方向に相対位置変更することができる。前記ボルト９と、長穴からなるボルト挿通孔１０とで位置調整機構Ｘ１が構成されている。
この位置調整機構Ｘ１は、例えば、当該操作具Ｓを取り付ける網戸の前記第一凹溝部４や第二凹溝部５の寸法が異なるような各種の網戸にも、両挟持部材どうしの相対位置を調整して納まりよく取り付けられるように設けられている。尚、内挟持部材７Ａの内、縦枠２Ａの第二凹溝部５の溝周縁部５ａに対応する端縁部１１を、前記溝周縁部５ａに当接する状態に取り付けることにより、網戸を閉める操作を行う際に、操作具本体７に加えられた操作力が端縁部１１から縦枠２Ａに直接に伝達され、網３に負担を掛けない状態で網戸閉操作を行うことができる。このように当該実施形態の操作具Ｓにおいては、前記端縁部１１によって、操作具本体７に作用する網戸閉操作力に対する反力をサッシ枠２に確保することができ、この端縁部１１は反力確保部Ｈの一つとして構成されている（図５参照）。
因みに、ボルト挿通孔１０の周縁部は座繰り部として構成してあり（図６参照）、ボルト９の拡径頭部が突出して内側の戸の開閉の障害とならないように考慮されている。更には、内挟持部材７Ａの厚み寸法についても、室内側の面が網戸厚み内に納まるように寸法設定してある。更には、前記ボルト９は、網３を貫通する状態に設置されるから、編み目に納まる外径寸法のものを選択してあると共に、ボルト９の先端部は、円錐形に尖らせてある（図４参照）。このことによって、ボルトによる網の貫通時に、ボルトの先端側に網の繊維が横断していたとしても、先端の円錐面によって繊維を周りに押し分けながら進入でき、繊維を傷つけたり切断したりし難いようにする効果が期待できるようになる。
また、内挟持部材本体の室外側の面（網と接当する面）は、細かな凹凸処理を施してあり、網３との間の滑り止めを図れるように考慮されている（図４、図６参照）。
【００２６】
前記外挟持部材７Ｂは、図４、図７〜９に示すように、三つの部材に分割自在に構成されている。
即ち、外挟持部材７Ｂは、網３に当接させる第一分割部１２と、前記縦枠２Ａに固定する第二分割部１３と、前記第一分割部１２と第二分割部１３とを覆い、且つ、両部を連結分離自在に繋ぐ第三分割部１４とを備えて構成されている。
【００２７】
前記第一分割部１２は、前記内挟持部材７Ａとで網３を挟持できるように室内側の面は平滑な押付挟持面として構成してある（図７参照）。当該操作具Ｓは、この第一分割部１２と内挟持部材７Ａとの挟持によって網３に固定される。前記第一分割部１２と内挟持部材７Ａとで取付部Ｔが構成されている（図４参照）。
そして、縦枠２Ａ側の端縁部には、室内側に突出した突条部（係止部に相当）１２ａが形成してある。この突条部１２ａは、前記第一凹溝部４内に入り込んで溝周縁部４ａに係止できる寸法に形成してある。当該実施形態においては、前記第一凹溝部４内に押し込まれた前記ゴム紐６に前記突条部１２ａ先端部が溝上方から当接して、抜け止めを図れるように幅寸法・突出長さ寸法がそれぞれ設定されている。
尚、前記突条部１２ａが溝周縁部４ａに係止していることによって、網戸を開ける操作を行う際に、挟持具本体７に加えられた操作力が突条部１２ａから縦枠２Ａに直接に伝達され、網３に負担を掛けない状態で網戸開操作を行うことができる。このように、当該実施形態の操作具Ｓにおいては、この突条部１２ａによって、操作具本体７に作用する網戸開操作力に対する反力をサッシ枠２に確保することができ、前記内挟持部材７Ａの前記端縁部１１と共に、この突条部１２ａは反力確保部Ｈの一つとして構成されている。
また、第一分割部１２の上縁部、下縁部それぞれのほぼ中央部には、両挟持部材を連結する前記ボルト９を挿通自在な切欠き部１２ｂがそれぞれ設けられている（図７参照）。
一方、第一分割部１２の室外側の面には、外周部に沿って補強フランジ部１２ｃが設けられている。そして、前記補強フランジ１２ｃの内、前記突条部１２ａの背面に位置する補強フランジ１２ｃの先端部には、前記第二分割部１３側に屈曲させて屈曲片部１２ｄが形成されている（図４参照）。また、第一分割部１２の室外側の面のほぼ中央部には、第三分割部１４との相対位置を調整自在なスペーサ（厚み調整手段に相当）Ｒを嵌合保持できるスペーサ設置台１２ｅが設けられている。このスペーサ設置台１２ｅには、複数の嵌合穴１２ｆが形成されており、前記スペーサＲに形成された複数の嵌合凸部Ｒａが各別に嵌入できるように構成されている。従って、スペーサ設置台１２ｅ上にスペーサＲを設置する際の位置決め効果、及び、設置後の位置ずれ防止効果を叶えることができる。因みに、スペーサＲは、取付対象の網戸の前記引退寸法Ｌ１に応じて厚み寸法の異なったものに取り替えることができる（図１０参照）。また、スペーサ設置台１２ｅの位置は、両挟持部材７Ａ、７Ｂどうしを挟持連結するボルト９設置位置の近傍に設定してあることが好ましく、ボルト９による挟持力の作用位置と、その挟持力に対抗するスペーサＲの抗力の作用位置とが近接することで、各挟持部材７Ａ、７Ｂに無用なモーメントが作用するのを防止でき、より強力に且つ安定した挟持状態に取り付けることが可能となる。従って、ボルト締付による各挟持部材７Ａ、７Ｂの変形が生じ難くすることができる。
【００２８】
前記第二分割部１３は、図４、図８に示すように、前記縦枠２Ａに固定自在な底板部１３ａと、前記第三分割部１４を接当させて連結自在な結合部１３ｂとを設けて構成してあり、前記底板部１３ａを、例えば、両面テープや接着剤等の接着手段１５で前記縦枠２Ａの室外側の面に固定することができる。
前記結合部１３ｂには、第三分割部１４との連結用ボルト１６を螺合自在な雌ネジ部１３ｃが設けられている。
尚、第二分割部１３の前記第一分割部１２側に望む端面部には、図１０に示すように、複数の横線を上下に間隔をあけて表示すると共に、各横線に番号を付した指標部１３ｄが設けられている。この指標部１３ｄは、サッシ枠２の前記引退寸法Ｌ１に応じてスペーサＲを使い分ける際に、好ましい寸法のスペーサＲを示すための指標となるものである。具体的には、縦枠２Ａに第二分割部１３を固定した状態で、前記第一分割部１２を網３上にセットすると、第一分割部１２の屈曲片部１２ｄが、この指標部１３ｃを指し示すこととなり、屈曲片部１２ｄが指し示した横線の番号に相当するスペーサＲを選択して用いれば、前記引退寸法Ｌ１に対応した第一分割部１２と第三分割部１４との適切な位置関係にセットできるように構成されている。
【００２９】
前記第三分割部１４は、図４、図５、図９に示すように、前記第一分割部１２と第二分割部１３とを室外側から覆い包む形状に形成してある。そして、第三分割部の本体における室外側の面には、前記内挟持部材７Ａと同様に開閉操作用の操作部となる窪み１４ａを形成してある。また、前記第二分割部１３の雌ネジ部１３ｃに対応する箇所には、前記連結用ボルト１６を挿通させるボルト挿通孔１４ｂが設けてある。このボルト挿通孔１４ｂは、横方向に細長い長穴として形成してあり、第二・第三分割部どうしを、前記網面に沿って横方向に相対位置変更することができるように構成されている。前記ボルト１６と、長穴からなるボルト挿通孔１４ｂとで幅調整機構Ｘ２が構成されている。
一方、第三分割部の本体における室内側の面には、前記第一分割部１２の補強フランジ部１２ｃが嵌入自在な溝部１４ｃが設けてあり、両者の嵌合によって部材間の位置ずれ防止を図れるように構成してある。また、前記第一分割部１２との連結用ボルト９を螺合させる一対の雌ネジ部１４ｄが設けられている。
【００３０】
次に、当該操作具Ｓの取り付け手順の一例について図１０を用いて簡単に説明する。
【００３１】
［１］サッシ枠２の取付対象位置に、室外側から第一分割部１２を配置する。その際、突条部１２ａが、第一凹溝部４内に嵌入する状態にセットする。
［２］第一分割部１２のセット位置に合わせて縦枠２Ａの室外側の面に、第二分割部１３を接着する。そして、指標部１３ｄに対する屈曲片部１２ｄの位置を参考にして用いるスペーサＲを選択し、スペーサ設置台１２ｅに嵌め込む。
［３］前記第一分割部１２の室内側に、網３を挟んだ状態に内挟持部材７Ａを配置すると共に、室外側には、第三分割部１４を被せるように配置し、ボルト９、ボルト１６を使用して、内外の挟持部材７Ａ、７Ｂを一体に連結する。その際、内挟持部材７Ａは、端縁部１１が溝周縁部５ａに外接する状態に位置合わせをして連結する。
以上の手順が、取り付けの一例であるが、各工程を適宜変更した取り付けも可能である。
【００３２】
本実施形態の操作具Ｓによれば、手を掛けて開閉しやすい形状・大きさの操作部を形成しやすくなり、更には、安定した取付状態を維持できるようになり、網戸の開閉を極めて楽に実施できるようになる。そして、寸法の異なる各種サッシ枠にも部品どうしの相対位置を変更するだけでフィットさせることができ、高い汎用性を備えさせることが可能となる。
【００３３】
〔別実施形態〕
以下に他の実施の形態を説明する。
【００３４】
〈１〉  本発明の開閉操作具は、先の実施形態で説明した引き戸形式の網戸に取り付けるものに限るものではなく、例えば、蝶番やヒンジ周りに揺動させて開閉する形式の網戸に対しても取り付けても有効に使用することができる。要するに、網戸サッシ枠部と網体部とを備え、開閉自在に取り付けられる網戸を取付対象とすることができる。
また、網戸が引き戸形式のものである場合でも、先の実施例で説明した部材構成の網戸に限らず、各種変更された網戸にも取り付けることが可能である。例えば、上下中間部に横枠が追加されたものであってもよい。また、第一凹溝部や第二凹溝部の設置位置や寸法等の仕様が変更されたもの、更には、第二凹溝部を備えてない構成のものにも取り付けることが可能である。
〈２〉  本発明の開閉操作具は、先の実施形態で説明した部材構成に限るものではなく、各種変更が可能である。例えば、図１１、図１２、図１３に示すように、外挟持部材７Ｂが単一部材で構成されたものであってもよい。また、図には示さないが、内挟持部材７Ａが複数の分割部材で構成されるものや、内・外挟持部材が共に複数の分割部材で構成してあってもよい。
〈３〉  前記反力確保部Ｈは、先の実施形態で説明した端縁部１１と突条部１２ａのように、何れの挟持部材にも設けてある構成に限るものではなく、例えば、図１１に示すように、外挟持部材７Ｂにのみ設けてあるものや、図１２、図１３に示すように、内挟持部材７Ａのみに形成してあるであってもよい。そして、反力確保の手段は、嵌合や係合、係止や掛止、連結（ビス止めや接着）等各種構成を採用することができる。それらを含めて反力確保部と総称する。
〈４〉  前記開閉操作部は、先の実施形態で説明した窪み８、１４ａに限るものではなく、例えば、図１２に示すように、突起２０であったり、図１３に示すように、手掛け穴２１であってもよい。
〈５〉  前記厚み調整機構は、先の実施形態で説明したスペーサに限るものではなく、例えば、螺進によって第一分割部１２と第三分割部１４との間隔寸法を変更調整できる離間調整ボルトを設ける構成であってもよい。又、厚み調整機構としてスペーサを用いる場合、その高さ寸法の異なるものを二つ用意しておき、前記指標部の読みに応じて該当する高さ寸法のスペーサを選択して第一分割部と第三分割部との間にセットすることに限らず、例えば、高さ寸法の異なる三つ以上のスペーサを用意しておき、それらから該当するものを選択するように構成してもよい。更には、単独のスペーサを用意しておき、スペーサの設置の有無によって厚みを調整を２段階で行うように構成するものであってもよい。尚、その場合は、前記指標部の表示も、例えば、（スペーサ有り）（スペーサ無し）を示す内容とすることとなる。但し、前記指標部の表示は、数字や記号や漢字や仮名やアルファベット等の文字や、線、切欠き、目盛り、凸部、凹部等の単独や組み合わせによって表現することが可能である。
【００３５】
尚、上述のように、図面との対照を便利にするために符号を記したが、該記入により本発明は添付図面の構成に限定されるものではない。
【図面の簡単な説明】
【００３６】
【図１】網戸を示す斜視図
【図２】網戸への開閉操作具の取付状況を示す要部分解斜視図
【図３】網戸への開閉操作具の取付状況を示す要部斜視図
【図４】網戸への開閉操作具の取付状況を示す上面視断面図
【図５】網戸への開閉操作具の取付状況を示す上面視断面図
【図６】内挟持部材を示す説明図
【図７】第一分割部を示す説明図
【図８】第二分割部を示す説明図
【図９】第三分割部を示す説明図
【図１０】開閉操作具の取付手順を説明する要部斜視図
【図１１】別実施形態の開閉操作具の取付状況を示す上面視断面図
【図１２】別実施形態の開閉操作具の取付状況を示す上面視断面図
【図１３】別実施形態の開閉操作具の取付状況を示す上面視断面図
【図１４】従来例の開閉操作具の取付状況を示す斜視図
【符号の説明】
【００３７】
１      網戸
２      サッシ枠（網戸サッシ枠部に相当）
３      網（網体部に相当）
４      第一凹溝部（網体取付用凹溝部に相当）
７      操作具本体
７Ａ    内挟持部材
７Ｂ    外挟持部材
１２    第一分割部
１２ａ  突条部（係止部に相当）
１３    第二分割部
１４    第三分割部
Ｈ      反力確保部
Ｒ      スペーサ（厚み調整手段に相当）
Ｔ      取付部
Ｘ１    位置調整機構
Ｘ２    幅調整機構
【図１】
2005240420.tif 000003
【図２】
2005240420.tif 000004
【図３】
2005240420.tif 000005
【図４】
2005240420.tif 000006
【図５】
2005240420.tif 000007
【図６】
2005240420.tif 000008
【図７】
2005240420.tif 000009
【図８】
2005240420.tif 000010
【図９】
2005240420.tif 000011
【図１０】
2005240420.tif 000012
【図１１】
2005240420.tif 000013
【図１２】
2005240420.tif 000014
【図１３】
2005240420.tif 000015
【図１４】
2005240420.tif 000016